(57)【要約】      （修正有）【課題】高気圧空気の供給をできるだけ少なくし、かつ人の出入りがスムーズに行われるようにして対応時間を早くし、転動防止チューブやエアー保持部材を折畳み自在として持ち運びに便利なようにし、また、気圧計、エアー供給口等を頭頂部側にまとめて設けて折畳み作業の迅速化を図る高気圧エアーチャンバ装置の提供。【解決手段】可撓性で非通気性の素材により高気圧密閉環境空間の創出を自在とした開口部２を有するエアーチャンバ本体１は、平面視において頭部配置側３を大径とし、足部配置側４を小径した略円錐台形状とするとともに、頭部配置側の縦断面形状を楕円或は円形、多辺形の角部を丸くした多辺形状等の丸型状とし、且つ頭部配置側の正面と側部に透明素材による窓部５、５’を形成し、該エアーチャンバ本体にエアー供給口６、吸引用濃縮酸素供給口７、アロマエアー供給口８を設けた高気圧エアーチャンバ装置とした。【選択図】図１
2005319077.tif 000002
【特許請求の範囲】
【請求項１】
可撓性で非通気性の素材により高気圧密閉環境空間の創出を自在とした開口部を有するエアーチャンバ本体は、平面視において頭部配置側を大径とし、足部配置側を小径した略円錐台形状とするとともに、頭部配置側の縦断面形状を楕円或は円形、多辺形の角部を丸くした多辺形状等の丸型状等の丸型状とし、且つ頭部配置側の正面と側部に透明素材による窓部を形成し、該エアーチャンバ本体にエアー供給口、吸引用濃縮酸素供給口を設けた高気圧エアーチャンバ装置。
【請求項２】
開口部は、一端が足部配置側近傍に位置し、他端部が窓部の側部位置まで伸びる長さとした請求項１記載の高気圧エアーチャンバ装置。
【請求項３】
エアーチャンバ本体の内底面にエアーマットを敷設するとともに該エアーマットに連通するエアー保持部材を配設し、エアーマット及びエアー保持部材にエアーを供給する第２エアー供給口を設けた請求項１、請求項２記載の高気圧エアーチャンバ装置。
【請求項４】
エアーチャンバ本体の頭部配置側の頂面部にエアー供給口、吸引用濃縮酸素供給口、第２エアー供給口を設けた請求項１、請求項2及び請求項３記載の高気圧エアーチャンバ装置。
【請求項５】
エアーの供給を自在とした一対の転動防止チューブを載置布で連結して、該転動防止チューブ上にエアーチャンバ本体の載置を自在とした請求項１、請求項２、請求項３及び請求項４記載の高気圧エアーチャンバ装置。
【発明の詳細な説明】
【技術分野】
【０００１】
本発明は、高気圧の密閉空間内に寝ているだけで筋肉や靭帯の損傷、骨折の早期治癒や、筋肉の軽い疲労感の解消・ベストコンディションの維持や、血液の循環を促進するために、高気圧化の密閉環境を創り出す高気圧エアーチャンバに関する。
【背景技術】
【０００２】
円筒状のバブル（高気圧エアーチャンバ）と、透明窓を有し、患者が出入りする開閉部をバブルの側面に設けたものが下記の特許文献などに記載されており、また市場においても酸素を供給する高気圧エアーチャンバがある。
【０００３】
しかしこれらの構造は、
頭部配置側の太い大径の円筒状バブルのため空気の供給量が多く、対応に時間がかかる、
またバブルの内部に、円筒状態保持のためのアルミ製のパイプからなる枠フレームを設けてあるが、これも持ち運びに際しては取り外した後に別途折り畳む等煩わしい作業をしなければならない、
バブルの胴体部分にバルブ、気圧計、エア供給口等を突出した状態で取り付けられていたため、折り畳み作業が面倒になり、持ち運びに損傷する恐れがある、
円筒状バブルの外側に設置する転倒防止ガードは、ウレタン素材のマットレスタイプのため折り畳みができず、持ち運びに嵩張るなどの困難を伴う、
開口部が小さく人の出入りがスムーズに行われない、
等の欠点があった。
【特許文献１】特公平４-２０３５４号公報
【発明の開示】
【発明が解決しようとする課題】
【０００４】
そこで本発明は、高気圧空気の供給をできるだけ少なくし、かつ人の出入りがスムーズに行われるようにして対応時間を早くし、転倒防止ガードや枠フレームを折畳み自在として持ち運びに便利なようにし、また、圧力センサー、気圧計、エアー供給口等を頭頂部側にまとめて設けて折畳み作業の迅速化を図ろうとするものである。
【課題を解決するための手段】
【０００５】
本発明は、可撓性で非通気性の素材により高気圧密閉環境空間の創出を自在としたエアーチャンバ本体は、平面視において頭部配置側を大径とし、足部配置側を小径した略円錐台形状とするとともに、頭部配置側の縦断面形状を楕円或は円形、多辺形の角部を丸くした多辺形状等の丸型状とし、且つ頭部配置側の正面から側部にかけて透明素材による窓部を形成し、開口部を一端が足部配置側近傍に位置し、他端部が窓部の側部位置まで伸びる長さとして人の出入をスムーズに行えるようにし、該エアーチャンバ本体に加圧のエアー供給口、吸引用濃縮酸素供給口、アロマエアー供給口を設けた高気圧エアーチャンバ装置を主要な特徴とし、更にエアーチャンバ本体の内底面にエアーマットを敷設するとともに該エアーマットに連通するエアー保持部材を配設したり、又エアーチャンバ本体の頭部配置側の頂面部に加圧エアーの供給口、吸引用濃縮酸素供給口、アロマエアー供給口を設けたり、エアーの供給を自在とした一対の転動防止チューブを載置布で連結して、該転動防止チューブ上にエアーチャンバ本体の載置を自在としたことを特徴とするものである。
【発明の効果】
【０００６】
本発明は、可撓性で非通気性の素材により高気圧密閉環境空間の創出を自在としたエアーチャンバ本体は、平面視において頭部配置側を大径とし、足部配置側を小径した略円錐台形状とするとともに、頭部配置側の縦断面形状を楕円或は円形、多辺形の角部を丸くした多辺形状等の丸型状とし、且つ頭部配置側の正面から側部にかけて透明素材による窓部を形成してあるので、空気の供給量が少なくてすみ、開口部が大きくなっているので出入りがスムーズに行えて対応時間を早めることができる。
【０００７】
透明窓も正面と側部に大きく開けてあるので圧迫感がなく快適な治療等の対応ができ、かつ転倒防止チューブやエアー保持部材を折畳み自在としてあるので持ち運びに便利であり、合宿所などへ持ち運んで即対応でき、運動効果、治療効果等を上げることができる。
【０００８】
また、圧力センサー、気圧計、エアー供給口等を頭頂部側にまとめて設けてあるので折畳みに際してはその部分を内部にして折畳むなどスムーズな折畳み作業ができ、損傷も少なくすることができ、治療中は不用意に転動することなく安定した状態で治療できる。
【実施例】
【０００９】
本発明を図示の実施例により説明すると、可撓性で非通気性の素材により高気圧密閉環境空間の創出を自在とした開口部２を有するエアーチャンバ本体１は、平面視において頭部配置側３を大径とし、足部配置側４を小径した略円錐台形状とするとともに、頭部配置側３の縦断面形状を楕円或は円形、多辺形の角部を丸くした多辺形状等の丸型状とし、且つ頭部配置側３の正面と側部に透明素材による窓部５，５’を形成し、該エアーチャンバ本体１にエアー供給口６、吸引用濃縮酸素供給口７、アロマエアー供給口８を設けてある。
【００１０】
開口部２は、一端が足部配置側近傍４に位置し、他端部が窓部５の側部位置まで伸びる長さとして（略患者の身長に近い状態の長さにすることができる。）人の出入りが簡単にできるようにしてある。
【００１１】
エアーチャンバ本体１の内底面にエアーマット９を敷設するとともに該エアーマット９に連通し仰向きの人体に覆い被さるよう半アーチ状に膨張、起立するエアー保持部材１０を配し、これらエアーマット９及びエアー保持部材１０にエアーを供給するエアー接続口１８をエアーマット９の端部の設け、この接続口１８とエアーチャンバ本体１に設けた第２エアー供給口１１とを図示しない供給管を介して接続し、エアーの供給を自在としてある。
【００１２】
エアーチャンバ本体１の頭部配置側３の頂面部３’にエアー供給口６、吸引用濃縮酸素供給口７、必要によってはアロマエアー供給口６、第２エアー供給口１１を設けて、該部分を緩衝材等で覆いエアーチャンバー本体など巻き込み・折畳み作業を簡単に行えるようにしてある。
【００１３】
図中１２は内部エア強制排気口、１３はエアーチャンバ本体１内の圧力を検知する圧力センサー、１６は安全排気弁で一定圧以上になると内部の空気を排出するようにしてあり、１７は補助出口で緊急時に内側から開けることができるようになっている。
【００１４】
又エアーの供給を自在としかつ折り畳みが自在な一対の転動防止チューブ１４，１４を載置布１５で連結して、該転動防止チューブ１４，１４上にエアーチャンバ本体１の載置を自在とし、転動防止チュブ１４、１４には図示しないエアコンプレッサーにより接続口１９よりエアーの供給を自在としてある。
【００１５】
エアー供給口６及び第２エアー供給口１１は、制御装置（図示しない。)に組み込まれている加圧用エアーコンプレッサーにエアー供給管６’、１１’を介して接続されていると共に、該エアー供給管６’、１１’接続端部にはワンタッチ機構を有するカップリングを取り付けており、又吸引用濃縮酸素供給口７は前記制御装置に組み込まれている酸素供給用ポンプに酸素供給管７’を介して接続されていると共に、アロマエアー供給口８は、前記制御装置に組み込まれているアロマ供給用ポンプにアロマ供給管８’を介して接続されている。
【図面の簡単な説明】
【００１６】
【図１】本発明に係る高気圧エアーチャンバ装置の斜視説明図。
【図２】エアーチャンバ本体の平面明図。
【図３】エアーマットとエアー保持部材の斜視説明図。
【図４】転動防止チューブの斜視説明図
【符号の説明】
【００１７】
１  エアーチャンバ本体
２  開口部
３  頭部配置側
４  足部配置側
５、５’  窓部
６  エアー供給口
６’  エアー供給管
７  吸引用濃縮酸素供給口
７’酸素供給管
８  アロマエアー供給口
８’アロマ供給管
９  エアーマット
１０  エアー保持部材
１１  第２エアー供給口
１１’エアー供給管
１２  内部エアー強制排気口
１３  圧力センサー
１４  転動防止チューブ
１５  載置布
１６  安全排気弁
１７  補助出口
１８  エアー接続口
１９  接続口
【図１】
2005319077.tif 000003
【図２】
2005319077.tif 000004
【図３】
2005319077.tif 000005
【図４】
2005319077.tif 000006